(57)【要約】【課題】建具の戸首厚を必要以上に削り過ぎても鴨居に対して戸首厚を簡単容易に微調整可能にして建具のガタツキを防ぐことができ、また、経年変化で建具が反っても反りと反対方向に建具芯位置を簡単容易に微調整可能にして、建具の開閉の際の建具の反りに起因する壁こすりや建具同士のこすり合いを防ぐことのできる建具戸首用調整コマを提供することにある。【解決手段】建具２の戸首３の上辺３１に取り付けられて鴨居４に対しての建具２の戸首厚や建具芯位置を微調整するために使用される調整コマ１であって、外周側面１１に丸みを有し、丸みを有する外周側面１１の一部が建具２の戸首３の一側面３２から突出して取り付けられ、建具２の戸首３の上辺３１への調整コマ１の取付孔１２を備えた。【選択図】        図１
0003129694.tif 000002
【実用新案登録請求の範囲】
【請求項１】
建具戸首上辺に取り付けられて鴨居に対しての建具の戸首厚や建具芯位置を微調整するために使用される調整コマであって、外周側面に丸みを有し、丸みを有する外周側面の一部が建具戸首の一側面から突出して取り付けられ、建具戸首上辺への調整コマの取付孔を備えたことを特徴とする建具戸首用調整コマ。
【請求項２】
建具戸首の側面から突出する外周側面の突出量の一部を可変させて吸収する可変切込溝を形成した請求項１記載の建具戸首用調整コマ。
【請求項３】
建具戸首の一側面から一部突出する調整コマの外周側面と取付孔との間に可変切込溝をその横断方向に向けて形成した請求項２記載の建具戸首用調整コマ。
【請求項４】
調整コマの取付孔を調整コマの中心位置から離れた偏心位置に形成した請求項１記載の建具戸首用調整コマ。
【請求項５】
建具戸首上辺に、戸首の厚み方向に調整コマ取付溝を形成した請求項１記載の建具戸首用調整コマ。
【考案の詳細な説明】
【技術分野】
【０００１】
この考案は、建て付け作業後に鴨居に対しての建具の戸首厚及び建具芯位置を微調整するために使用する建具戸首用調整コマに関するものである。
【背景技術】
【０００２】
戸、襖、障子などの建具の上端側の戸首をはめこんでスライドさせる鴨居が建具が取り付けられる上部側に設けられている。鴨居は下向きに凹型の溝が形成されていて、この溝内に建具の上端側の戸首がはめ込まれてスライドする構造になっている。
ところで、鴨居の溝幅に対してこれにはめ込まれる建具の戸首厚が厚め場合は、鴨居に建具の戸首をはめ込むことが出来ないので、戸首厚を調整するために専用鉋で削っている。同様に、鴨居の溝幅と建具の戸首厚が殆ど同じで全く隙間がないときには接触摩擦抵抗によって建具がスムーズに開閉しないので、専用鉋で削って戸首厚を調整している。
【考案の開示】
【考案が解決しようとする課題】
【０００３】
しかしながら、専用鉋で建具の戸首厚を必要以上に削り過ぎた場合には、戸首厚を厚く調整することができず、その結果、鴨居に対して戸首厚のクリアランスを取り過ぎて、建具のガタツキを生じるという問題があった。
また、経年変化で建具が反ることがあり、反った建具は壁や並設する他の建具と接触して、壁こすりや建具同士のこすり合いを生じるという問題もあった。
【０００４】
この考案は、上記のような課題に鑑み、その課題を解決すべく創案されたものであって、その目的とするところは、建具の戸首厚を必要以上に削り過ぎても鴨居に対して戸首厚を簡単容易に微調整可能にして建具のガタツキを防ぐことができ、また、経年変化で建具が反っても反りと反対方向に建具芯位置を簡単容易に微調整可能にして、建具の開閉の際の建具の反りに起因する壁こすりや建具同士のこすり合いを防ぐことのできる建具戸首用調整コマを提供することにある。
【課題を解決するための手段】
【０００５】
以上の目的を達成するために、この考案は、建具戸首上辺に取り付けられて鴨居に対しての建具の戸首厚や建具芯位置を微調整するために使用される調整コマであって、外周側面に丸みを有し、丸みを有する外周側面の一部が建具戸首の一側面から突出して取り付けられ、建具戸首上辺への調整コマの取付孔を備えた手段よりなるものである。
【０００６】
ここで、好ましい態様として、建具戸首の側面から突出する外周側面の突出量の一部を可変させて吸収する可変切込溝を形成してもよい。また、建具戸首の一側面から一部突出する調整コマの外周側面と取付孔との間に可変切込溝をその横断方向に向けて形成してもよい。さらに、調整コマの取付孔を調整コマの中心位置から離れた偏心位置に形成してもよい。さらにまた、建具戸首上辺に、戸首の厚み方向に調整コマ取付溝を形成してもよい。
【考案の効果】
【０００７】
以上の記載より明らかなように、この考案に係る建具戸首用調整コマによれば、建具の戸首上辺に取り付けた調整コマを取付孔を中心に回動させて、調整コマの外側周面の一部を所定の厚み分、建具戸首の一側面から突出させるのみで、建具の戸首厚を必要以上に削り過ぎても鴨居に対して戸首厚を簡単容易に微調整し得て、建具のガタツキを防ぐことができる。
また、経年変化で建具が反っても建具の戸首上辺に取り付けた調整コマを取付孔を中心に回動させて、調整コマの外側周面の一部を所定の厚み分、建具戸首の反り側に向けて戸首の側面から突出させるのみで、反りと反対方向に建具芯位置を簡単容易に微調整し得て、建具の開閉の際に建具の反りに起因する壁こすりや建具同士のこすり合いを防ぐことができる。
【０００８】
また、請求項２、請求項３のように、調整コマに可変切込溝を形成した場合には、鴨居の溝内の左右の内側面が完全に平行に形成されていなかったり、左右の側面が一直線上でなく僅かな凹凸面が形成されていて、鴨居の溝幅が全長間で同一でなくても、建具の開閉中に戸首側面からの突出量を可変切込溝が吸収し自動的に伸縮して微調整することで、調整コマの取り付けが妨げとなることはなく、建具のスムーズな開閉を可能にすることができる。
【０００９】
また、請求項４のように、調整コマの取付孔を調整コマの中心位置から離れた偏心位置に形成した場合には、調整コマの外周側面が例えば円形状に形成されていても、取付孔を中心に回動させることで、戸首の側面からの突出量を容易に微調整させることが可能となる。
【００１０】
また、請求項５のように、建具戸首上辺に、戸首の厚み方向に調整コマ取付溝を形成した場合には、鴨居の溝内の上向き底面と建具戸首の上辺との隙間が殆どなくても、調整コマをこの調整コマ取付溝内に取り付けることで、容易に建具戸首の上辺に取り付けることが可能となる。
【考案を実施するための最良の形態】
【００１１】
以下、図面に記載の考案を実施するための最良の形態に基づいて、この考案をより具体的に説明する。
ここで、図１（Ａ）は調整コマの平面図、図１（Ｂ）は調整コマの側面図、図２（Ａ）は調整コマを戸首の上辺に取り付けた部分平面図、図２（Ｂ）は調整コマを戸首の上辺に取り付けた建具を鴨居にはめ込んだ側面図、図２（Ｃ）は調整コマを戸首の上辺に取り付けた建具の部分斜視図、図３（Ａ）は調整コマを戸首の上辺の調整コマ取付溝に取り付けた部分平面図、図３（Ｂ）は調整コマを戸首の上辺の調整コマ取付溝に取り付けた建具を鴨居にはめ込んだ側面図、図３（Ｃ）は調整コマを戸首の上辺の調整コマ取付溝に取り付けた建具の部分斜視図、図４（Ａ）は調整コマを他例の戸首の上辺の調整コマ取付溝に取り付けた部分平面図、図４（Ｂ）は調整コマを他例の戸首の上辺の調整コマ取付溝に取り付けた建具を鴨居にはめ込んだ側面図、図４（Ｃ）は調整コマを他例の戸首の上辺の調整コマ取付溝に取り付けた建具の部分斜視図、図５は調整コマを更に別の他例の戸首の上辺の調整コマ取付溝に取り付けた建具の部分斜視図、図６（Ａ）は他例の調整コマの平面図、図６（Ｂ）は他例の調整コマの側面図である。
【００１２】
図において、建具戸首用の調整コマ１は、建具２の戸首３の厚みを必要以上に削り過ぎても鴨居４に対して戸首厚を簡単容易に微調整可能にして建具２のガタツキを防ぐことができ、また、経年変化で建具２が反っても反りと反対方向に建具芯位置を簡単容易に微調整可能にして、建具２の開閉の際の建具２の反りに起因する壁こすりや建具同士のこすり合いを防ぐことができる特徴を備えている。
【００１３】
調整コマ１は、建具２の戸首３の上辺３１に取り付けられると共に、建具２の戸首３の何れかの一側面３２から一部突出した状態で取り付けられて使用される。調整コマ１はその外周側面１１の一部に丸みを有する形状からなり、外周側面１１の丸みを有する部分が戸首３の一側面３２から一部突出するように取り付けられる。
【００１４】
図面では調整コマ１の外周側面１１は例えば平面から見て円形状になっているが、この形状に限定されることはなく例えば楕円形でもよく、要は戸首３の側面３２から突出する部分の外周側面１１が丸みを有する形状であればよい。つまり、戸首３の側面３２から突出しない部分の外周側面１１は丸みをおびた形状でなくてもよい。
【００１５】
調整コマ１は戸首３の側面３２から突出する部分の外周側面１１が丸みを有することで、外周側面１１が接触する鴨居４の溝４１の内側面４１ａに滑らかに接触することになる。そして、建具２の戸首３の側面３２から突出する調整コマ１の丸みを有する外周側面１１が鴨居４の溝４１の内側面４１ａに接触することで、鴨居４の溝４１に対する戸首厚の微調整が図られて、建具２のガタツキ、或いは壁こすりや建具同士のこすり合いを防ぐのである。
【００１６】
調整コマ１にはこれを建具２の戸首３の上辺３１に取り付けて例えばビスネジなどで固定するための取付孔１２が形成されている。取付孔１２は調整コマ１の形状が円形の場合には、調整コマ１の中心部分から離れた偏心する位置に形成されている。取付孔１２は調整コマ１の形状が楕円形の場合には、調整コマ１の中心部分に形成されていてもよい。
【００１７】
建具２の戸首３の上辺３１に取り付けられる調整コマ１は、取付孔１２を中心に回動させて戸首３の側面３２からの突出量が微調整される。このため、調整コマ１が円形の場合には、取付孔１２が円形の中心にあると回動させても側面３２からの突出量に変化がないため、調整コマ１の中心部分から離れた偏心する位置に形成される。
【００１８】
これに対して、調整コマ１が楕円形の場合には、取付孔１２が楕円形の中心位置に形成されていても、回動させると戸首３の側面３２からの突出量が変化するので問題ないためである。なお、調整コマ１が楕円形でも中心位置から離れた偏心位置に取付孔１２を形成するのは自由である。
【００１９】
調整コマ１には必要に応じて可変切込溝１３が形成されている。可変切込溝１３は建具２の戸首３の側面３２から突出する調整コマ１の外周側面１１の突出量の一部を可変させて吸収する役目を果たす。つまり、戸首３の側面３２から突出する調整コマ１の外周側面１１に弾性機能を持たせる機能を果たす。
【００２０】
可変切込溝１３は調整コマ１の材質が弾性材でないプラスチック製の場合に有用である。可変切込溝１３は調整コマ１の材質が弾性材の場合には省略されることもある。また、建具２の戸首３がはめ込まれる鴨居４の溝４１内の溝幅が全長間で同一の場合も可変切込溝１３は省略されることがある。
【００２１】
鴨居４の溝４内の左右の内側面４１ａが完全に平行に形成されていなかったり、左右の内側面４１ａが一直線上でなく僅かな凹凸面が形成されていて、建具２の戸首３がはめ込まれる鴨居４の溝４１内の溝幅は全長間で同一でない場合がある。この場合、建具２の戸首３の側面３２から突出する調整コマ１の突出量が一定で固定されていると、建具２をスムーズにしかもガタツキなくスライド開閉させることができないことがある。
【００２２】
即ち、建具２の戸首３の側面３２から突出する調整コマ１の突出量を、鴨居４の溝４の最大溝幅に調整していると、これよりも溝幅の狭い場所をスライド通過させるときには溝４１の内側面４１ａに、調整コマ１の突出する外周側面１１とこれの反対側の戸首３の側面３２が当接して建具２がスムーズに開閉しなくなるからである。
【００２３】
逆に、建具２の戸首３の側面３２から突出する調整コマ１の突出量を、鴨居４の溝４の最小溝幅に調整していると、建具２は鴨居４に沿ってスライドさせることはできるが、これよりも溝幅の広い場所をスライド通過させるときにはガタツキを生じることになるからである。
【００２４】
図１又は図６に示すように、調整コマ１の可変切込溝１３は、建具２の戸首３の側面３２から一部突出する調整コマ１の外周側面１１と取付孔１２との間にその横断方向に形成されている。可変切込溝１３の一端は外周側面１１に開口しており、そこから取付孔１２と外周側面１１との間を横断する方向に延長されていて、その他端は外周側面１１の近くまで延びており、可変切込溝１３を挟んでその外側に可変片１４が形成されている。
【００２５】
この可変片１４の外周側に戸首３の側面３２から一部突出する外周側面１１が含まれている。可変片１４は取付孔１２側の調整コマ１の本体側と可変切込溝１３の他端側で結合されていて、この結合部分を中心に可変切込溝１３側に回動することで戸首３の側面３２から突出する外周側面１１の突出量を吸収して微調整する構造になっている。
【００２６】
建具２の戸首３の上辺３１には、戸首３の幅方向に調整コマ取付溝３３が形成されている。調整コマ取付溝３３は、鴨居４の溝４１内の上向き底面４１ｂと建具２の戸首３の上辺３１との隙間が殆どなくて、調整コマ１を取り付けるだけのスペースがない場合に形成される。調整コマ取付溝３３は、図３又は図４に示すように戸首３の側面３２の片方側にのみ臨むように形成される場合と、図５に示すように戸首３の両側の側面３２にまたがるように形成される場合がある。
【００２７】
次に、上記考案を実施するための最良の形態の構成に基づく調整コマの取り付けについて以下説明する。
調整コマ１の建具２の戸首３の上辺３１への取り付けは、戸首３の厚みを必要以上に削り過ぎた場合や、経年変化によって建具２が反って建具２の開閉時に壁５への壁こすりや建具２同士のこすり合いが生じる場合に行われる。調整コマ１は戸首３の上辺３１の長さ方向の例えば２箇所に取り付けられる。
【００２８】
所定の箇所の上辺３１に調整コマ１を置き、取付孔１２に例えばビスネジを差し込んで、調整コマ１が取付孔１２を中心として回動できる程度に緩めに締める。その後、調整コマ１を取付孔１２を中心として回動させて、調整コマ１の外周側面１１の戸首３の側面３２からの突出量を微調整する。
【００２９】
微調整して調整コマ１の外周側面１１の戸首３の側面３２からの突出量が決まると、緩めに締めていたビスネジを強く締め付けて、調整コマ１を建具２の戸首３の上辺３１に固定する。調整コマ１が取り付けられた建具２を鴨居４の溝４１内にはめ込むことで簡単に取り付け作業は完了する。
【００３０】
調整コマ１が建具２の戸首３の上辺３１に取り付けられることにより、鴨居４に対して建具２の戸首厚や建具２の芯位置を簡単容易に微調整できる。例えば建具２の戸首厚を必要以上に削り過ぎた場合には、削り過ぎた厚み分だけ戸首３の側面３２から調整コマ１の外周側面１１を突出させるのみで簡単に微調整することができる。
【００３１】
同様に、経年変化によって建具２が反った場合には、反った厚み分だけ建具２の反った側に向けて戸首３の側面３２から調整コマ１の外周側面１１を突出させるのみで簡単に微調整することができる。この場合において、反った厚み分だけ戸首３の側面３２から調整コマ１の外周側面１１を突出させたとき、鴨居４の溝４１内にはめ込めないときには、専用鉋で戸首３の厚みを予め削って薄くしておく必要がある。
【００３２】
また、建具２の戸首３の上辺３１と鴨居４の溝４１の上向き底面４１ｂとの間の隙間に、調整コマ１が取り付けられるだけの余裕スペースがないときには、事前に、戸首３の上辺３１の調整コマ１の取り付け予定箇所に調整コマ取付溝３３を形成しておく必要がある。
【００３３】
なお、この考案は上記考案を実施するための最良の形態に限定されるものではなく、この考案の精神を逸脱しない範囲で種々の改変をなし得ることは勿論である。
【図面の簡単な説明】
【００３４】
【図１】（Ａ）はこの考案を実施するための最良の形態を示す調整コマの平面図である。  （Ｂ）はこの考案を実施するための最良の形態を示す調整コマの側面図である。
【図２】（Ａ）はこの考案を実施するための最良の形態を示す調整コマを戸首の上辺に取り付けた部分平面図である。  （Ｂ）はこの考案を実施するための最良の形態を示す調整コマを戸首の上辺に取り付けた建具を鴨居にはめ込んだ側面図である。  （Ｃ）はこの考案を実施するための最良の形態を示す調整コマを戸首の上辺に取り付けた建具の部分斜視図である。
【図３】（Ａ）はこの考案を実施するための最良の形態を示す調整コマを戸首の上辺の調整コマ取付溝に取り付けた部分平面図である。  （Ｂ）はこの考案を実施するための最良の形態を示す調整コマを戸首の上辺の調整コマ取付溝に取り付けた建具を鴨居にはめ込んだ側面図である。  （Ｃ）はこの考案を実施するための最良の形態を示す調整コマを戸首の上辺の調整コマ取付溝に取り付けた建具の部分斜視図である。
【図４】（Ａ）はこの考案を実施するための最良の形態を示す調整コマを他例の戸首の上辺の調整コマ取付溝に取り付けた部分平面図である。  （Ｂ）はこの考案を実施するための最良の形態を示す調整コマを他例の戸首の上辺の調整コマ取付溝に取り付けた建具を鴨居にはめ込んだ側面図である。  （Ｃ）はこの考案を実施するための最良の形態を示す調整コマを他例の戸首の上辺の調整コマ取付溝に取り付けた建具の部分斜視図である。
【図５】この考案を実施するための最良の形態を示す調整コマを更に別の他例の戸首の上辺の調整コマ取付溝に取り付けた建具の部分斜視図である。
【図６】（Ａ）はこの考案を実施するための最良の形態を示す他例の調整コマの平面図である。  （Ｂ）はこの考案を実施するための最良の形態を示す他例の調整コマの側面図である。
【符号の説明】
【００３５】
１    調整コマ
１１    外周側面
１２    取付孔
１３    可変切込溝
１４    可変片
２    建具
３    戸首
３１    上辺
３２    側面
３３    調整コマ取付溝
４    鴨居
４１    溝
４１ａ  内側面
４１ｂ  上向き底面
５    壁
【図１】
0003129694.tif 000003
【図２】
0003129694.tif 000004
【図３】
0003129694.tif 000005
【図４】
0003129694.tif 000006
【図５】
0003129694.tif 000007
【図６】
0003129694.tif 000008